(57)【要約】【課題】簡単に短時間で、打込み対象物の設計位置と実際の打込み位置との変位量を測定することができる変位量測定器具を提供する。【解決手段】打込み対象物の設計位置に合わせて配置されることにより設計位置を示す設計位置プレート１０と、実際に打込まれた打込み対象物の上に配置されることにより打込み位置を示す打込み位置プレートとを備えている。設計位置プレート１０は、板状部材１１に、打込み対象物の形状に対応して形状マーク１２が設けられた構成を有し、打込み位置プレート２０も、同様に、板状部材２１に、打込み対象物の形状に対応して形状マーク２２が設けられた構成を有している。これらを重ね合わせることにより、設計位置と打込み位置との変位量を測定することができる。【選択図】図１
0003159922.tif 000002
【実用新案登録請求の範囲】
【請求項１】
打込み対象物の設計位置と、実際の打込み位置との変位量を測定する変位量測定器具であって、
少なくとも一部が透明な板状部材に、打込み対象物の形状に対応して形状マークが設けられ、設計位置に合わせて配置されることにより設計位置を示す設計位置プレートと、
少なくとも一部が透明な板状部材に、打込み対象物の形状に対応して形状マークが設けられ、実際に打込まれた打込み対象物の上に形状マークを合わせて配置されることにより打込み位置を示す打込み位置プレートとを備え、
前記設計位置プレートと前記打込み位置プレートとを重ね合わせることにより、設計位置と打込み位置との変位量を測定することができるようにした
ことを特徴とする変位量測定器具。
【請求項２】
前記設計位置プレートおよび前記打込み位置プレートには、互いの形状マークを合わせて重ねた時に重なり合う位置に、変位量を測定するための測定基準マークがそれぞれ設けられており、
前記設計位置プレートまたは前記打込み位置プレートのどちらか一方は、前記測定基準マークを含む周囲に白色領域を有する
ことを特徴とする請求項１記載の変位量測定器具。
【請求項３】
前記設計位置プレートおよび前記打込み位置プレートの少なくとも一方には、設計位置と打込み位置との変位量として許容される範囲を示す許容範囲マークが設けられた
ことを特徴とする請求項１または請求項２記載の変位量測定器具。
【考案の詳細な説明】
【技術分野】
【０００１】
本考案は、打込み対象物の設計位置と、実際の打込み位置との変位量を測定する変位量測定器具に関する。
【背景技術】
【０００２】
建設工事では、地盤の強化のために鋼管杭を打ち込んだり、鋼矢板を打ち込むことが行われている。しかし、実際に打ち込んだ打ち込み位置が当初の設計位置からずれている場合がある。そこで、通常は、実際の打込み位置と、打込み対象物の設計位置との変位量を測定し、その変位量が許容される範囲かどうかを管理していた。従来は、例えば、打込んだ鋼管杭の中に木の板をはめ込んで中心を検出し、設計位置の中心との変位量を測定していた。
【０００３】
しかしながら、この手法では、鋼管杭の大きさに合わせて木の板を切断・加工してはめ込むので、木の板を切断・加工するのに手間がかかり、また、長さが少しでも短いと、測定中に鋼管杭の中に落ちてしまうという問題があった。そこで、もっと簡単に変位量測定することができる手法の開発が望まれていた。
【０００４】
なお、特許文献１には、打込み前の杭の芯位置に照準をあわせることのできる照準マークプレートと、照準マークプレートを支持する基台とを備えた杭の芯位置の確認装置が記載されている。この装置は、照準マークプレートを打込み前の杭の芯位置に合わせた状態で基台を地面に固定配置し、次いで、照準マークプレートを杭の芯位置を外れた位置に移動させて杭を打込んだのち、再び、照準マークプレートを打込み前の杭の芯位置に戻して、杭の芯位置を確認する。しかし、この装置では、照準マークプレートを杭の芯位置に合わせた状態で基台を地面に固定配置しなければならないので、手間がかかり、また、基台部分がかさばってしまう。
【先行技術文献】
【特許文献】
【０００５】
【特許文献１】特開２００１−２９５２７４号公報
【考案の概要】
【考案が解決しようとする課題】
【０００６】
本考案は、このような問題に基づきなされたものであり、簡単に短時間で、打込み対象物の設計位置と実際の打込み位置との変位量を測定することができる変位量測定器具を提供することを目的とする。
【課題を解決するための手段】
【０００７】
本考案の変位量測定器具は、打込み対象物の設計位置と、実際の打込み位置との変位量を測定するものであって、少なくとも一部が透明な板状部材に、打込み対象物の形状に対応して形状マークが設けられ、設計位置に合わせて配置されることにより設計位置を示す設計位置プレートと、少なくとも一部が透明な板状部材に、打込み対象物の形状に対応して形状マークが設けられ、実際に打込まれた打込み対象物の上に形状マークを合わせて配置されることにより打込み位置を示す打込み位置プレートとを備え、設計位置プレートと打込み位置プレートとを重ね合わせることにより、設計位置と打込み位置との変位量を測定することができるようにしたものである。
【考案の効果】
【０００８】
本考案の変位量測定器具によれば、設計位置に合わせて配置されることにより設計位置を示す設計位置プレートと、実際に打込まれた打込み対象物の上に形状マークを合わせて配置されることにより打込み位置を示す打込み位置プレートとを備えているので、例えば、打込み対象物を打込んだのち、その上に形状マークを合わせて打込み位置プレートを配置し、その上に設計位置に合わせて設計位置プレートを配置することにより、設計位置と打込み位置のずれを目視で容易に確認することができ、その変位量も容易に測定することができる。よって、短時間で簡単に設計位置と打込み位置との変位量を測定することができる。
【０００９】
また、設計位置プレートおよび打込み位置プレートに、変位量を測定するための測定基準マークをそれぞれ設け、そのどちらか一方の測定基準マークを含む周囲に白色領域を設けるようにすれば、測定基準マークの位置を容易に確認することができ、より容易に変位量を測定することができる。
【００１０】
更に、設計位置プレートおよび打込み位置プレートの少なくとも一方に、変位量として許容される範囲を示す許容範囲マークを設けるようにすれば、その変位量が許容されるものかどうかを目視により容易に管理することができる。
【図面の簡単な説明】
【００１１】
【図１】本考案の第１の実施の形態に係る変位量測定器具の構成を表す図である。
【図２】図１に示した変位量測定器具を用いて変位量を測定する様子を表す図である。
【図３】図１に示した打込み位置プレートの変形例を表す図である。
【図４】本考案の第２の実施の形態に係る変位量測定器具の構成を表す図である。
【図５】図４に示した変位量測定器具を用いて変位量を測定する様子を表す図である。
【考案を実施するための形態】
【００１２】
以下、本考案の実施の形態について、図面を参照して詳細に説明する。
【００１３】
（第１の実施の形態）
図１は本考案の第１の実施の形態に係る変位量測定器具１の構成を表すものであり、図２は図１に示した変位量測定器具１を用いて変位量を測定する様子を表す図である。この変位量測定器具１は、打込み対象物の設計位置と、実際の打込み位置との変位量を測定するためのものである。なお、本実施の形態では、打込み対象物が鋼管杭の場合について具体的に説明する。
【００１４】
この変位量測定器具１は、打込み対象物の設計位置に合わせて配置されることにより設計位置を示す設計位置プレート１０と、実際に打込まれた打込み対象物の上に配置されることにより打込み位置を示す打込み位置プレートとを備えている。設計位置プレート１０は、板状部材１１に、打込み対象物の形状に対応して形状マーク１２が設けられた構成を有し、打込み位置プレート２０も、同様に、板状部材２１に、打込み対象物の形状に対応して形状マーク２２が設けられた構成を有している。これらは、重ね合わされることにより、設計位置と打込み位置との変位量を測定することができるようになっている。
【００１５】
板状部材１１，２１は、例えば、アクリル板により構成されており、反対側が透過して見えるように、少なくとも一部が透明とされている。形状マーク１２，２２は、例えば、板状部材１１，２１の表面に描かれており、打込み対象物である鋼管杭の上端部の形状に合わせた円により表されている。なお、形状マーク１２，２２は、打込み対象物の形状と完全に同一である必要はなく、位置が分かるように形状の一部に対応して設けられていてもよい。例えば、１または２以上の円弧により表されていてもよい。また、設計位置プレート１０の形状マーク１２と、打込み位置プレート２０の形状マーク２２とは、同一の色で表されていてもよいが、異なる色で表されていることが好ましい。ずれを容易に確認することができるからである。
【００１６】
設計位置プレート１０および打込み位置プレート２０には、また、互いの形状マーク１２，２２を合わせて重ねた時に重なり合う位置に、変位量を測定するための測定基準マーク１３，２３がそれぞれ設けられていることが好ましい。基準位置を決めることにより変位量を容易に測定することができるからである。測定基準マーク１３，２３は、例えば、形状マーク１２，２２と同様に板状部材１１の表面に描かれている。測定基準マーク１３，２３の形状や位置などはどのようなものでもよいが、例えば、形状マーク１２，２２に対応する円の中心を通り直交する２本の直線が好ましい。なお、設計位置プレート１０の基準位置マーク１３と、打込み位置プレート２０の基準位置マーク２３とは、同一の色で表されていてもよいが、異なる色で表されていることが好ましい。ずれを容易に確認することができるからである。測定基準マーク１３と形状マーク１２、または、測定基準マーク２３と形状マーク２２の色は、同一でも異なっていてもよい。
【００１７】
また、打込み位置プレート２０には、測定基準マーク２３を含む周囲に白色領域２４が設けられていることが好ましい。測定基準マーク２３の周りを白くすることにより、設計位置プレート１０を重ねたときに、測定基準マーク１３，２３を見やすくすることができるからである。白色領域２４は、例えば、板状部材２１の表面に白色で描かれることにより表されてる。なお、白色領域２４は、打込み位置プレート２０ではなく、設計位置プレート１０に設けるようにしてもよい。
【００１８】
更に、打込み位置プレート２０には、例えば、格子状に目盛２５が設けられていることが好ましい。設計位置と打込み位置との変位量を容易に測定することができるからである。加えて、打込み位置プレート２０には、設計位置と打込み位置との変位量として許容される範囲を示す許容範囲マーク２６が設けられていることが好ましい。変位量が許容されるものかどうかを目視により容易に管理することができるからである。許容範囲マーク２６は、例えば、測定基準マーク２３を中心とした円で表され、図３に示したように、複数の基準に合わせて複数設けるようにしてもよい。例えば、法定の範囲を示す法定範囲マーク２６Ａと、その内側に法定よりも厳しい基準に合わせた優良範囲マーク２６Ｂとを設けるようにしてもよい。なお、目盛２５または許容範囲マーク２６は、打込み位置プレート２０ではなく、設計位置プレート１０に設けるようにしてもよい。
【００１９】
また、設計位置プレート１０および打込み位置プレート２０には、例えば、板状部材１１，２１の角の対応する位置に、孔１７，２７がそれぞれ設けられていることが好ましい。クリップなどで留めることにより、使用するときには分離し、使用しないときにはまとめておけるからである。
【００２０】
この変位量測定器具１は、例えば、次のようにして用いることができる。まず、例えば、打込み対象物である鋼管杭を打込んだのち、その上に、打込み位置プレート２０を乗せ、形状マーク２２を鋼管杭の上端部の形状に合わせて配置する。次いで、その上に、設計位置プレート１０を乗せ、丁張りなどにより設計位置に合わせて配置する。そののち、打込み位置プレート２０と設計位置プレート１０とを上方から見て、例えば、測定基準マーク１３，２３が許容範囲マーク２６の内側にあるかを確認し、測定基準マーク１３，２３の間の距離を測定する。
【００２１】
このように本実施の形態によれば、設計位置プレート１０と、打込み位置プレート２０とを備えているので、例えば、打込み対象物を打込んだのち、その上に形状マーク２２を合わせて打込み位置プレート２０を配置し、その上に設計位置に合わせて設計位置プレート１０を配置することにより、設計位置と打込み位置のずれを目視で容易に確認することができ、その変位量も容易に測定することができる。よって、短時間で簡単に設計位置と打込み位置との変位量を測定することができる。
【００２２】
また、設計位置プレート１０および打込み位置プレート２０に、変位量を測定するための測定基準マーク１３，２３をそれぞれ設け、そのどちらか一方の測定基準マーク１３，２３を含む周囲に白色領域２４を設けるようにすれば、測定基準マーク１３，２３の位置を容易に確認することができ、より容易に変位量を測定することができる。
【００２３】
更に、設計位置プレート１０および打込み位置プレート２０の少なくとも一方に、変位量として許容される範囲を示す許容範囲マーク２６を設けるようにすれば、その変位量が許容されるものかどうかを目視により容易に管理することができる。
【００２４】
（第２の実施の形態）
図４は本考案の第２の実施の形態に係る変位量測定器具２の構成を表すものであり、図５は図４に示した変位量測定器具２を用いて変位量を測定する様子を表す図である。本実施の形態は、打込み対象物が鋼矢板の場合について説明するものであり、基本的な構成は第１の実施の形態と同様である。よって、対応する構成要素には同一の符号を付して説明する。
【００２５】
この変位量測定器具２は、形状マーク１２，２２、測定基準マーク１３，２３、および許容範囲マーク２６の具体的な形状が異なることを除き、他は第１の実施の形態と同一の構成および効果を有している。形状マーク１２，２２は、打込み対象物である鋼矢板の上端部の形状に合わせて設けられている。なお、図４，５は、ハの字型の矢板の場合について具体的に示しているが、例えば、Ｈ型の矢板の場合には、上端部の形状に合わせたＨ形状とされる。また、測定基準マーク１３，２３は、例えば、ハの字部を結ぶ平板部に平行な直線とそれに対して直交する直線とで表される。更に、許容範囲マーク２６は、第１の実施の形態と同様に、測定基準マーク２３を中心とした円としてもよいが、例えば、測定基準マーク２３の上下左右に許容範囲を示す線を平行に引いてもよい。なお、図４，５では、ハの字ぶを結ぶ平板部に平行な測定基準マーク２３の上下に許容範囲マーク２６Ａ，２６Ｂを平行に引いた場合を示している。
【００２６】
以上、実施の形態を挙げて本考案を説明したが、本考案は上記実施の形態に限定されるものではなく、種々変形可能である。例えば、上記実施の形態では、打込み対象物の形状に合わせて具体的に説明したが、他の形状を有するものについても同様に適用することができる。その場合、打込み対象物の形状に合わせて、形状マーク１２，２２、測定基準マーク１３，２３、または許容範囲マーク２６の具体的な形状は変化させる。
【００２７】
また、上記実施の形態では、変位量測定器具１，２の構成について具体的に説明したが、全ての構成要素を備えていなくてもよく、更に他の構成要素を備えていてもよい。
【産業上の利用可能性】
【００２８】
建設工事などにおいて、鋼管杭または鋼矢板などの打込み位置と設計位置との変位量を測定する際に用いることができる。
【符号の説明】
【００２９】
１，２…変異量測定器具、１０…設計位置プレート、１１…板状部材、１２…形状マーク、１３…測定基準マーク、２０…打込み位置プレート、２１…板状部材、２２…形状マーク、２３…測定基準マーク、２４…白色領域、２５…目盛、２６…許容範囲マーク、２６Ａ…法定範囲マーク、２６Ｂ…優良範囲マーク
【図１】
0003159922.tif 000003
【図２】
0003159922.tif 000004
【図３】
0003159922.tif 000005
【図４】
0003159922.tif 000006
【図５】
0003159922.tif 000007